(57)【特許請求の範囲】
【請求項１】
半導体基板と、前記半導体基板の表面に第１方向に長く形成され、互いに異なる極性を有する第１電極と第２電極をそれぞれ備える複数の太陽電池と、
前記複数の太陽電池のそれぞれに備えられた前記半導体基板の表面に前記第１方向と交差する第２方向に長く配置され、前記第１電極または前記第２電極に導電性接着剤を介して接続される導電性配線と、
前記導電性配線を前記半導体基板と前記第１、第２電極に物理的に固定する複数の絶縁性接着部とを含み、
前記複数の絶縁性接着部のそれぞれは、前記第１方向に長く伸び、前記導電性配線全体と交差して前記導電性配線それぞれの交差された一部分を覆い、前記複数の絶縁性接着部のそれぞれは、前記第２方向に離隔される、太陽電池モジュール。
【請求項２】
前記絶縁性接着部は、前記導電性配線の間に露出される前記半導体基板と前記第１、第２電極の表面に接着される、請求項１に記載の太陽電池モジュール。
【請求項３】
前記絶縁性接着部は、ベースフィルムの表面に接着剤が形成された、請求項１に記載の太陽電池モジュール。
【請求項４】
前記ベースフィルムは、ポリオレフィン（polyolefin）材質を含む、請求項３に記載の太陽電池モジュール。
【請求項５】
前記ベースフィルムの融点は１６０℃〜１７０℃の内、いずれかの温度よりも低い、請求項３に記載の太陽電池モジュール。
【請求項６】
前記絶縁性接着部の接着剤は、アクリル、シリコンまたはエポキシの内、少なくともいずれか１つを含む、請求項３に記載の太陽電池モジュール。
【請求項７】
前記絶縁性接着部の前記第２方向の幅は、互いに直接隣接する二つの導電性配線との間隔より大きい、請求項１に記載の太陽電池モジュール。
【請求項８】
前記第１、第２電極が前記半導体基板の背面に位置し、
前記導電性配線は、前記第１、第２電極が形成された前記半導体基板の背面に位置し、
前記絶縁性接着部は、前記第１、第２電極が形成され、導電性配線が配置された前記半導体基板の背面上に位置する、請求項１に記載の太陽電池モジュール。
【請求項９】
前記各太陽電池の半導体基板は、第１導電型の不純物がドーピングされ、
前記半導体基板の背面には、前記第１導電性と反対の第２導電性の不純物がドーピングされるエミッタ部と、前記半導体基板より前記第１導電型の不純物を高濃度にドーピングされる背面電界部とをさらに含み、
前記第１電極のそれぞれは、前記エミッタ部に接続され、前記第２電極のそれぞれは、前記背面電界部に接続される、請求項８に記載の太陽電池モジュール。
【請求項１０】
前記導電性配線は、
前記第１電極に導電性接着剤を介して接続され、前記第２電極との間に絶縁層によって絶縁される第１配線と、
前記第２電極に導電性接着剤を介して接続され、前記第１電極との間に前記絶縁層によって絶縁される第２配線を含む、請求項１に記載の太陽電池モジュール。
【請求項１１】
前記太陽電池は、前記第１方向と交差する第２方向に互いに直接隣接して配列され、互いに直列接続される第１太陽電池と第２太陽電池を含み、
前記第１太陽電池と、前記第２太陽電池との間には、前記第１、第２太陽電池を互いに直列接続するインターコネクタをさらに含む、請求項１０に記載の太陽電池モジュール。
【請求項１２】
前記インターコネクタは、前記第１太陽電池と、前記第２太陽電池との間で、前記第１方向に長く配置される、請求項１１に記載の太陽電池モジュール。
【請求項１３】
前記インターコネクタには、前記第１太陽電池に接続された前記第１導電性配線と前記第２太陽電池に接続された前記第２導電性配線が共通に接続される、請求項１１に記載の太陽電池モジュール。
【請求項１４】
半導体基板の表面に第１方向に長く形成され、互いに異なる極性を有する第１電極と第２電極のそれぞれの一部分の上に導電性接着剤を塗布する段階と、
前記第１、第２電極の内、前記導電性接着剤が塗布された前記一部分と重畳されるよう前記第１方向と交差する第２方向に長く、導電性配線を配置する段階と、
前記導電性配線を前記半導体基板の表面に物理的に固定させる複数の絶縁性接着部のそれぞれが、前記第２方向に離隔され、前記第１方向に長く接着させて前記導電性配線全体と交差して前記導電性配線それぞれの交差された一部分を覆って前記半導体基板の背面に固定させる段階と、
前記絶縁性接着部が接着された前記半導体基板をラミネーションする段階とを含み、
前記ラミネーション段階において、前記絶縁性接着部は、軟化された後、硬化される、太陽電池モジュールの製造方法。
【請求項１５】
前記ラミネーション段階の温度は、１６０℃〜１７０℃の内、いずれか１つの温度で実行される、請求項１４に記載の太陽電池モジュールの製造方法。
【請求項１６】
前記絶縁性接着部の融点は、前記ラミネーション段階の温度より低い、請求項１４に記載の太陽電池モジュールの製造方法。
【請求項１７】
前記絶縁性接着部は、ベースフィルムの表面に接着剤が形成された絶縁性テープ形態である、請求項１４に記載の太陽電池モジュールの製造方法。
【請求項１８】
前記ベースフィルムは、ポリオレフィン（polyolefin）材質を含む、請求項１７に記載の太陽電池モジュールの製造方法。
【請求項１９】
前記ベースフィルム及び前記接着剤の融点は、前記ラミネーション段階の温度より低い、請求項１７に記載の太陽電池モジュールの製造方法。
【請求項２０】
前記ラミネーション段階において、前記絶縁性接着部は、軟化された状態で、導電性配線と前記第１、第２電極との間の空きスペースまで少なくとも一部が満たされた後、硬化される、請求項１４に記載の太陽電池モジュールの製造方法。
【発明の詳細な説明】
【技術分野】
【０００１】
本発明は、太陽電池モジュール及びその製造方法に関する。
【背景技術】
【０００２】
最近石油や石炭のような既存エネルギー資源の枯渇が予測されながらこれらを取り替える代替エネルギーに対する関心が高くなり。これにより、太陽エネルギーから電気エネルギーを生産する太陽電池が注目されている。
【０００３】
一般的な太陽電池は、ｐ型とｎ型のように、互いに異なる導電型（conductive type）によってｐ−ｎ接合を形成する半導体部、そして互いに異なる導電型の半導体部にそれぞれ接続された電極を備える。
【０００４】
このような太陽電池に光が入射されれば半導体部で複数の電子―正孔対が生成され、生成された電子―正孔対は電荷である電子と正孔にそれぞれ分離され、電子はｎ型の半導体部の方向に移動し正孔はｐ型の半導体部の方向に移動する。移動した電子と正孔はそれぞれｎ型の半導体部とｐ型の半導体部に接続された互いに異なる電極によって収集され、この電極を電線で接続することにより電力を得る。
【０００５】
このような太陽電池は、複数個がインターコネクタによって互に接続されてモジュールで形成することができる。
【０００６】
一方、背面コンタクト型太陽電池は、半導体基板の背面に電極がすべて備えられ、このような背面コンタクト型太陽電池は、各半導体基板の背面に接続された複数の導電性配線を介して互いに直列接続されることができる。
【０００７】
このように、複数の導電性配線を半導体基板の背面に接続させる構造の場合、複数の導電性配線を半導体基板の背面に配置させた後に、複数の導電性配線を半導体基板の背面に接続する以前まで、複数の導電性配線が、半導体基板の背面上で固定されずに動いてアライン（位置合せ）が乱れるなどのモジュールの製造工程が困難な問題点がある。
【発明の概要】
【発明が解決しようとする課題】
【０００８】
本発明の目的は、太陽電池モジュール及びその製造方法を提供することにある。
【課題を解決するための手段】
【０００９】
本発明の太陽電池モジュールは、半導体基板と、半導体基板の表面に第１方向に長く形成され、互いに異なる極性を有する第１電極と第２電極をそれぞれ備える太陽電池と、それぞれの太陽電池に備えられた半導体基板の表面に第１方向と交差する第２方向に長く配置されて、第１電極または第２電極に導電性接着剤を介して接続される導電性配線と、導電性配線が配置された半導体基板の表面の内、少なくとも一部分に第１方向に長く配置されて、導電性配線のそれぞれを、半導体基板と、第１、第２電極に仮固定する絶縁性接着部とを含み、絶縁性接着部は、導電性配線のそれぞれの少なくとも一部分の上と側面まで接着することができる。
【００１０】
さらに、絶縁性接着部は、導電性配線の間に露出される半導体基板と、第１、第２電極の表面にまで接着することができる。
【００１１】
ここで、絶縁性接着部は、ベースフィルムの表面に接着剤が形成された絶縁性テープ形態ですることができる。ここで、ベースフィルムはポリオレフィン（polyolefin）材質を含むことができ、ベースフィルムの融点は１６０℃〜１７０℃の間のいずれか１つの温度より低いことがある。
【００１２】
さらに、絶縁性接着部の接着剤は、アクリル、シリコンまたはエポキシの内、少なくともいずれか１つを含むことができる。
【００１３】
また、絶縁性接着部の第２方向の幅は、互いに直接隣接する二つの導電性配線との間隔より大きいことができる。
【００１４】
また、第１、第２電極は、半導体基板の背面に位置し、導電性配線は、第１、第２電極が形成された半導体基板の背面に位置し、絶縁性接着部は、第１、第２電極が形成され、導電性配線が配置された半導体基板の背面上に位置することができる。
【００１５】
また、各太陽電池の半導体基板は、第１導電型の不純物がドーピングされ、半導体基板の背面には、第１導電性と反対の第２導電性の不純物がドーピングされるエミッタ部と、半導体基板より第１導電型の不純物を高濃度にドーピングされる背面電界部とをさらに含み、第１電極のそれぞれは、エミッタ部に接続され、第２電極のそれぞれは、背面電界部に接続することができる。
【００１６】
ここで、導電性配線は、第１電極に導電性接着剤を介して接続され、第２電極との間に絶縁層によって絶縁される第１配線と第２電極に導電性接着剤を介して接続され、第１電極との間に絶縁層によって絶縁される第２配線を含むことができる。
【００１７】
また、太陽電池は、第１方向と交差する第２方向に互いに直接隣接して配列され、互いに直列接続される第１太陽電池と第２太陽電池を含み、第1太陽電池と第２太陽電池の間には、第１、第２太陽電池を互いに直列接続するインターコネクタをさらに含むことができる。
【００１８】
ここで、インターコネクタは、第１太陽電池と第２太陽電池の間で第１方向に長く配置することができ、インターコネクタには、第１太陽電池に接続された第１導電性配線と第２太陽電池に接続された第２導電性配線が共通に接続することができる。
【００１９】
また、本発明の一例に係る太陽電池の製造方法は、半導体基板の表面に第１方向に長く形成され、互いに異なる極性を有する第１電極と第２電極のそれぞれの一部分の上に導電性接着剤を塗布する段階と、第１、第２電極の内、導電性接着剤が塗布された一部分の上に第１方向と交差する第２方向に長く、導電性配線を配置する段階と、半導体基板と導電性配線の一部の上に第１方向に長く絶縁性接着部を接着させる段階と、絶縁性接着部が接着された半導体基板をラミネーションする段階とを含み、ラミネーション段階において絶縁性接着部は、軟化された後、硬化されながら、導電性配線の一部分の上と側面まで接着することができる。
【００２０】
ここで、ラミネーション段階の温度は、１６０℃〜１７０℃の内、いずれか１つの温度で行うことができる。
【００２１】
さらに、絶縁性接着部の融点は、ラミネーション段階の温度より低いことができる。一例として、絶縁性接着部は、ベースフィルムの表面に接着剤が形成された絶縁性テープ形態で有り得る。
【００２２】
ここで、ベースフィルムはポリオレフィン（polyolefin）材質を含み、ベースフィルムと接着剤の融点は、ラミネーション段階の温度より低いことがある。
【００２３】
さらに、ラミネーション段階で絶縁性接着部は、軟化された状態で、導電性配線と、第１、第２電極との間の空きスペースまで少なくとも一部が満たされた後、硬化することができる。
【発明の効果】
【００２４】
本発明に係る太陽電池モジュール及びその製造方法は、導電性配線を半導体基板の背面に固定する絶縁性接着部が導電性配線の背面だけでなく、側面まで密着して接着されるようにして、絶縁性接着部と導電性配線の側面によって形成することができるエアトラップを回避して、導電性配線が腐食することを防止することができる。
【図面の簡単な説明】
【００２５】
【図１】本発明の一例に係る太陽電池モジュールの前面全体の平面姿を説明するための図である。
【図２】図１において、第１、第２太陽電池（Ｃ１、Ｃ２）がインターコネクタ（ＩＣ）によって接続されたストリングの断面を概略的に示す一例である。
【図３】図１において、第１、第２太陽電池（Ｃ１、Ｃ２）がインターコネクタ（ＩＣ）によって接続されたストリングの背面を示す一例である。
【図４】図３に適用される太陽電池の一例を示す一部斜視図である。
【図５】図４に示された太陽電池の第２方向（ｙ）の断面を示したものである。
【図６】図３においてＣＳｘ１−ＣＳｘ１ラインに沿った断面図を示すものである。
【図７】図３において絶縁性接着部（ＡＴ）が接着された太陽電池モジュールの背面を拡大図示したものである。
【図８】（a）はラミネーション段階の以前に、図７のＡ−Ａラインに沿った第２方向の断面を拡大し図示したものであり、（b）は、ラミネーション段階の以後に最終の太陽電池モジュールで図７の Ａ−Ａラインに沿った第２方向の断面を拡大して示したものである。
【図９】（a）はラミネーション段階の以前に、図７のＢ−Ｂラインに沿った第１方向（ｘ）の断面を拡大して示したものであり、 （ｂ）は、ラミネーション段階の以後に最終の太陽電池モジュールで図７のＢ−Ｂラインに沿った第１方向（ｘ）の断面を拡大して示したものである。
【図１０】本発明の一例に係る太陽電池モジュールの製造方法を説明するための図である。
【図１１】本発明の一例に係る太陽電池モジュールの製造方法を説明するための図である。
【図１２】本発明の一例に係る太陽電池モジュールの製造方法を説明するための図である。
【図１３】本発明の一例に係る太陽電池モジュールの製造方法を説明するための図である。
【発明を実施するための形態】
【００２６】
以下では、添付した図面を参考にして本発明の実施の形態について本発明が属する技術分野において通常の知識を有する者が容易に実施できるように詳細に説明する。しかし、本発明は、さまざまな形で実現することができ、ここで説明する実施の形態に限定されない。そして図面で本発明を明確に説明するために説明と関係ない部分は省略し、明細書全体を通じて類似の部分には同様の符号を付与した。
【００２７】
図面で複数の層と領域を明確に表現するために厚さを拡大して示した。層、膜、領域、板などの部分が他の部分“上に”あるとする時、これは他の部分“真上に”ある場合だけでなく、その中間に他の部分がある場合も含む。逆にどの部分が他の部分“真上に”あるとするときは、中間に他の部分がないことを意味する。また、どの部分が他の部分の上に“全体的”に形成されているとするときは、他の部分の全体面に形成されているものだけでなく、端の一部には形成されないことを意味する。
【００２８】
以下では、どのような構成の前面とは、直射光が入射されるモジュールの前面に向かう方向の面で有り得、背面とは、直射光が入射されないか、直射光ではなく、反射光が入射することができるモジュールの背面に向かう方向の面で有り得る。
【００２９】
さらに、以下においてセルストリングとは、複数の太陽電池が互いに直列接続された構造や形態を意味する。
【００３０】
また、どのような構成部分の厚さや幅が他の構成部分の厚さや幅と同じであるという意味は、工程誤差を含みから、１０％の範囲内で同一であることを意味する。
【００３１】
図１は、本発明の一例に係る太陽電池モジュールの前面全体の平面姿を説明するための図であり、図２は、図１において、第２方向（ｙ）に互いに隣接して、インターコネクタ（ＩＣ）によって接続された第１、第２太陽電池（Ｃ１、Ｃ２）の断面を概略的に示す一例である。
【００３２】
図１及び図２に示すように、本発明の一例に係る太陽電池モジュールは、複数の太陽電池（Ｃ１、Ｃ２）、複数の導電性配線（ＣＷ）、絶縁性接着部（ＡＴ）とインターコネクタ（ＩＣ）を含むことができる。
【００３３】
ここで、インターコネクタ（ＩＣ）は、必要に応じて省略されることもあるが、以下では、図１に示すように、インターコネクタ（ＩＣ）を備えた場合を一例として説明する。
【００３４】
さらに、これに加えて、本発明は、複数の太陽電池が互いに直列接続されたセルストリングをカプセル化する前面透明基板１０、充填材（２０、３０）、背面基板４０とフレーム５０をさらに備えることができる。
【００３５】
ここで、複数の太陽電池は、図１に示すように、それぞれが第２方向（ｙ）に長く配列され、半導体基板１１０と半導体基板１１０の背面に複数の第１電極（Ｃ１４１）と第２電極（Ｃ１４２）を備えることができる。このような複数の太陽電池については、図６以下でさらに具体的に説明する。
【００３６】
複数の第１、第２導電性配線（ＣＷ）は、図１及び図２に示すように、複数の太陽電池それぞれの背面に接続することができる。
【００３７】
このように、複数の第１、第２導電性配線（ＣＷ）が接続された複数の太陽電池は、図１及び図２に示すように、インターコネクタ（ＩＣ）により第２方向（ｙ）に直列接続することができる。
【００３８】
一例として、インターコネクタ（ＩＣ）は、互いに隣接する二つの太陽電池の間に第１方向（ｘ）に長く配置されて、複数の太陽電池の内、第２方向（ｙ）に離隔される第１太陽電池（Ｃ１）と第２太陽電池（Ｃ２）を互いに直列に接続することができる。
【００３９】
このとき、図２に示すように、第１太陽電池（Ｃ１）に接続された複数の第１導電性配線２１０の前面と第２太陽電池（Ｃ２）に接続された複数の第２導電性配線２２０の前面がインターコネクタ（ＩＣ）の背面に接続することができ、これにより、複数の太陽電池が直列接続されるセルストリングが形成されることができる。
【００４０】
このようなセルストリングは、図２に示すように、前面透明基板１０と背面基板４０との間に配置された状態で熱圧着されてラミネーイトすることができる。
【００４１】
一例として、複数の太陽電池は、前面透明基板１０と背面基板４０との間に配置され、ＥＶＡシートのように透明な充填材（２０、３０）が、複数の太陽電池全体の前面と背面に配置された状態で、熱と圧力が同時に加わるラミネーション工程によって一体化されてカプセル化することができる。
【００４２】
併せて、図１に示すように、ラミネーション工程でカプセル化された前面透明基板１０、背面基板４０と充填材（２０、３０）は、フレーム５０によって端が固定されて保護することができる。
【００４３】
加えて、セルストリングのそれぞれは、第２方向（ｙ）に長く位置し、第１方向（ｘ）に離隔されて配列されることがあり、このような複数のセルストリングは、第１方向（ｘ）に長く伸びているバーシンバ３１０によって第１方向（ｘ）に直列接続することができる。
【００４４】
ここで、前面透明基板１０は、透過率が高く、破損防止機能に優れた強化ガラスなどで形成することができる。
【００４５】
背面基板４０は、太陽電池（Ｃ１、Ｃ２）の背面から湿気が浸透することを防止して太陽電池を外部環境から保護することができる。このような背面基板４０は、水分と酸素の浸透を防止する層、化学的腐食を防止する層のような多層構造を有することができる。
【００４６】
このような背面基板４０は、ＦＰ（fluoropolymer/ＰＥ（polyester/ＦＰ（fluoropolymer）のような絶縁材質からなる薄いシートで行われるが、他の絶縁物質からなる絶縁シートで有り得る。
【００４７】
このようなラミネーション工程は、前面透明基板１０と、太陽電池との間、及び太陽電池と背面基板との間に面形状の充填材（２０、３０）が配置された状態で行われることができる。
【００４８】
ここで、充填材（２０、３０）の材質は、絶縁層２５２の材質と異なる材質で形成されることがあり、湿気の浸透による腐食を防止し、太陽電池（Ｃ１、Ｃ２）を衝撃から保護し、そのために衝撃を吸収することができるエチレンビニルアセテート（ＥＶＡ、ethylene vinyl acetate）のような物質で形成することができる。
【００４９】
したがって、前面透明基板１０と、太陽電池との間、及び太陽電池と背面基板との間に配置された面形状の充填材（２０、３０）は、ラミネーション工程中に熱と圧力によって軟化及び硬化することができる。
【００５０】
一方、絶縁性接着部（ＡＴ）は、半導体基板１１０の背面上に配置された導電性配線（ＣＷ）の上に導電性配線（ＣＷ）の長さ方向と交差する第１方向（ｘ）に長く配置されて、導電性配線（ＣＷ）を半導体基板１１０の背面に接着させる役割をすることができる。
【００５１】
併せて、このような絶縁性接着部（ＡＴ）の背面と側面には、図２に示すように、充填材３０が完全に密着して、絶縁性接着部（ＡＴ）の背面と側面に充填材３０が、物理的に直接接触することができる。
【００５２】
このような絶縁性接着部（ＡＴ）につきましては、太陽電池、第１、第２導電性配線（ＣＷ）とインターコネクタ（ＩＣ）について、さらに具体的に説明した後に、図７以下でさらに具体的に説明する。
【００５３】
以下では、図１、２に示された太陽電池モジュールにおいて、複数の太陽電池が、第１、第２導電性配線（ＣＷ）とインターコネクタ（ＩＣ）によって直列接続される構造をさらに具体的に説明する。
【００５４】
図３〜図６は、本発明に係る太陽電池モジュールの一例を説明するための図である。
【００５５】
ここで、図３は、本発明に係る太陽電池モジュールに適用されるストリングを背面から見た形状の一例である。
【００５６】
複数の太陽電池（Ｃ１、Ｃ２）のそれぞれは、少なくとも半導体基板１１０と半導体基板１１０の表面、例えば、背面に互いに離隔され、第１方向（ｘ）に長く伸びて形成される複数の第１電極（Ｃ１４１）と、複数の第２電極（Ｃ１４２）を備えることができる。
【００５７】
さらに、複数の導電性配線（ＣＷ１、ＣＷ２）は、複数の太陽電池の内、互いに隣接する二つの太陽電池の内、いずれか１つの太陽電池に備えられた複数の第１電極（Ｃ１４１）と、残りの１つの太陽電池に備えた複数の第２電極（Ｃ１４２）をインターコネクタ（ＩＣ）を介して互いに電気的に直列に接続することができる。
【００５８】
そのために、複数の導電性配線（ＣＷ１、ＣＷ２）は、第１、第２電極（Ｃ１４１、Ｃ１４２）の長さ方向の第１方向（ｘ）と交差する第２方向（ｙ）に長く伸び、複数の太陽電池のそれぞれに接続することができる。
【００５９】
このような、複数の導電性配線（ＣＷ）は、複数の第１導電性配線（ＣＷ１）と、複数の第２導電性配線（ＣＷ２）を含むことができる。
【００６０】
ここで、第１導電性配線（ＣＷ１）は、各太陽電池に備えられた第１電極（Ｃ１４１）に導電性接着剤（ＣＡ）を介して接続され、絶縁性材質の絶縁層（ＩＬ）によって第２電極（Ｃ１４２）と絶縁することができる。
【００６１】
さらに、第２導電性配線（ＣＷ２）は、各太陽電池に備えられた第２電極（Ｃ１４２）に導電性接着剤（ＣＡ）を介して接続され、絶縁性材質の絶縁層（ＩＬ）によって第１電極（Ｃ１４１）と絶縁することができる。
【００６２】
ここで、導電性配線（ＣＷ）のそれぞれの線幅（ＷＣＷ）は、導電性配線（ＣＷ）の線抵抗を十分に低く維持しながら、製造コストが最小になるように考慮して、０．５ｍｍ〜２．５ｍｍの間で形成されることができ、 、第１導電性配線（ＣＷ１）と第２導電性配線（ＣＷ２）との間の間隔（WDCW）は、導電性配線（ＣＷ）の合計数を考慮して、太陽電池モジュールの短絡電流が損なわれないように４ｍｍ〜６．５ｍｍの間で形成することができる。
【００６３】
さらに、導電性配線（ＣＷ）の厚さは０．０５ｍｍ〜０．３ｍｍの間で形成されることができる。
【００６４】
さらに、インターコネクタ（ＩＣ）は、第１太陽電池（Ｃ１）と第２太陽電池（Ｃ２）との間に第１方向（ｘ）に長く伸びて配置され、このようなインターコネクタ（ＩＣ）に第１、２導電性配線（ＣＷ１、ＣＷ２）のそれぞれが接続されて、複数の太陽電池は、第２方向（ｙ）に互いに直列接続することができる。
【００６５】
さらに、本発明の一例に係る太陽電池モジュールにおいては、インターコネクタ（ＩＣ）が含まれた場合を一例として示し、これについて説明しているが、インターコネクタ（ＩＣ）は、省略されることもあり、このようにインターコネクタ（ＩＣ）が省略された場合には、第１導電性配線（ＣＷ１）と第２導電性配線（ＣＷ２）が直接接続されるか一体に形成され、複数の太陽電池（Ｃ１、Ｃ２）を直列接続することもできる。
【００６６】
絶縁性接着部（ＡＴ）は、導電性配線（ＣＷ）が配置された半導体基板１１０の表面、例えば、背面の内、少なくとも一部分に第１方向（ｘ）に長く配置されて、太陽電池モジュールの製造工程の内、導電性配線（ＣＷ）のそれぞれを、半導体基板１１０と、第１、第２電極（Ｃ１４１、Ｃ１４２）に仮固定させる役割をすることができる。
【００６７】
さらに具体的には、絶縁性接着部（ＡＴ）は、導電性配線（ＣＷ）を、第１、第２電極（Ｃ１４１、Ｃ１４２）のそれぞれに熱処理工程を介して接続させるテビン工程やラミネーション工程の前に、導電性配線（ＣＷ）を半導体基板１１０の表面、例えば、背面にそれぞれ配置させた状態で、導電性配線（ＣＷ）のそれぞれが動かないように、半導体基板１１０の背面に一時的に固定させる機能をすることができる。
【００６８】
このような絶縁性接着部（ＡＴ）は、図３に示すように、一例として、半導体基板１１０の中間及び両方の端の近くに導電性配線（ＣＷ）の長さ方向と交差する第１方向（ｘ）に長く配置することができる。
【００６９】
このような絶縁性接着部（ＡＴ）は、テビン工程の以前に、半導体基板１１０の背面に配置された導電性配線（ＣＷ）が動かないように固定させることにより、太陽電池モジュールの製造工程をさらに容易にすることができる。
【００７０】
一方、このような絶縁性接着部（ＡＴ）は、図３に示すように、導電性配線（ＣＷ）のそれぞれの一部背面と半導体基板１１０の背面に接着されて、導電性配線（ＣＷ）のそれぞれの一部分を半導体基板１１０の背面に一時的に固定することができるが、複数の太陽電池をモジュール化させるラミネーション工程で溶けて、最終の太陽電池モジュールでは、導電性配線（ＣＷ）のそれぞれの一部の背面だけでなく、側面まで密着して接着することができる。
【００７１】
このように、絶縁性接着部（ＡＴ）が導電性配線のそれぞれの少なくとも一部分の背面だけでなく、側面まで密着して接着される場合、絶縁性接着部（ＡＴ）が接着された導電性配線の側面にエアトラップ（air trap）が形成されることができるスペースを最小化し、後日に導電性配線がエアトラップ（air trap）に含有された湿気によって腐食されることを防止することができる。
【００７２】
このように、絶縁性接着部（ＡＴ）が導電性配線のそれぞれの少なくとも一部分の背面だけでなく、側面まで密着して接着される構造については、本発明の一例に係る太陽電池モジュールの構造について説明した以後に、図７以下でさらに具体的に説明する。
【００７３】
このような太陽電池モジュールの各構成部分についてさらに詳細に説明すると、次の通りである。
【００７４】
図４は、図３に適用される太陽電池の一例を示す一部斜視図であり、図５は、図４に示された太陽電池の第２方向（ｙ）の断面を示したものである。
【００７５】
図４及び図５に示すように、本発明に係る太陽電池の一例は、反射防止膜１３０、半導体基板１１０、トンネル層１８０、エミッタ部１２１、背面電界部（１７２、back surface field、ＢＳＦ）、真性半導体層１５０、パッシベーション層１９０、第１電極（Ｃ１４１）と第２電極（Ｃ１４２）を備えることができる。
【００７６】
ここで、反射防止膜１３０、真性半導体層１５０、トンネル層１８０とパッシベーション層１９０は省略されることもあるが、備えられた場合、太陽電池の効率がさらに向上するため、以下では、備えられた場合を一例として説明する。
【００７７】
半導体基板１１０は、第１導電型の不純物を含有する単結晶シリコン、多結晶シリコンの内、少なくともいずれか１つで形成することができる。一例として、半導体基板１１０は、単結晶シリコンウエハに形成することができる。
【００７８】
ここで、第１導電型は、ｎ型またはｐ型導電型の内、いずれか１つで有り得る。
【００７９】
半導体基板１１０がｐ型の導電型を有する場合、ホウ素（Ｂ）、ガリウム、インジウムなどの３価元素の不純物が半導体基板１１０にドーピング（doping）される。しかし、半導体基板１１０がｎ型の導電型を有する場合、りん（Ｐ）、ヒ素（Ａｓ）、アンチモン（Ｓｂ）などのように５価元素の不純物が半導体基板１１０にドーピングすることができる。
【００８０】
以下では、このような半導体基板１１０の第１導電型がｎ型である場合を一例に説明する。
【００８１】
このような半導体基板１１０の前面に複数の凹凸面を有することができる。これにより、半導体基板１１０の前面上に位置したエミッタ部１２１もまた凹凸面を有することができる。
【００８２】
このために、半導体基板１１０の前面から反射される光の量が減少して、半導体基板１１０の内部に入射される光の量が増加することができる。
【００８３】
反射防止膜１３０は、外部から半導体基板１１０の前面に入射される光の反射を最小化するために、半導体基板１１０の前面の上に位置し、アルミニウム酸化膜（ＡｌＯｘ）、シリコン窒化膜（ＳｉＮｘ）、シリコン酸化膜（ＳｉＯｘ）及びシリコン酸化窒化膜（ＳｉＯｘＮｙ）の内、少なくとも１つで形成することができる。
【００８４】
トンネル層１８０は、半導体基板１１０の背面全体に直接接触して配置され、誘電体材質を含むことができる。したがって、トンネル層１８０は、図４及び図５に示すように、半導体基板１１０で生成されたキャリアを通過させることができる。
【００８５】
このようなトンネル層１８０は、半導体基板１１０で生成されたキャリアを通過させ、半導体基板１１０の背面のパッシベーション機能を実行することができる。
【００８６】
さらに、トンネル層１８０は、６００℃以上の高温工程にも耐久性が強いＳｉＣｘまたはＳｉＯｘで形成される誘電体材質で形成することができる。しかし、この他にもシリコン窒化膜（ＳｉＮｘ）、水素化されたシリコン窒化膜（ＳｉＮｘ）、アルミニウム酸化膜（ＡｌＯｘ）、シリコン酸化窒化膜（ＳｉＯＮ：silicon oxynitride）または水素化されたシリコン酸化窒化膜（ＳｉＯＮ）で形成が可能であり、このようなトンネル層１８０の厚さ（Ｔ１８０）は、０．５ｎｍ〜２．５ｎｍの間で形成されることができる。
【００８７】
エミッタ部１２１は、半導体基板１１０の背面に配置され、一例として、トンネル層１８０の背面の一部に直接接触して、複数個が第１方向（ｘ）に長く配置され、第１導電型と反対の第２導電型を有する多結晶シリコン材質で形成することができ、エミッタ部１２１は、トンネル層１８０を間に置いて、半導体基板１１０とｐ−ｎ接合を形成することができる。
【００８８】
各エミッタ部１２１は、半導体基板１１０とｐ−ｎ接合を形成するので、エミッタ部１２１は、ｐ型の導電型を有することができる。しかし、本発明の一例とは異なり、半導体基板１１０がｐ型の導電型を有する場合、エミッタ部１２１は、ｎ型の導電型を有する。この場合、分離された電子は、複数のエミッタ部１２１の方向に移動し、分離された正孔は、複数の背面電界部１７２の方向に移動することができる。
【００８９】
複数のエミッタ部１２１がｐ型の導電型を有する場合エミッタ部１２１には、３価元素の不純物がドーピングされることがあり、逆に複数のエミッタ部１２１がｎ型の導電型を有する場合、エミッタ部１２１には、５価元素の不純物がドーピングされることができる。
【００９０】
背面電界部１７２は、半導体基板１１０の背面に配置され、一例として、トンネル層１８０の背面の中で、前述した複数のエミッタ部１２１のそれぞれと離隔された一部の領域に直接接触して、複数個がエミッタ部１２１と並行する第１方向（ｘ）に長く位置するように形成することができる。
【００９１】
このような背面電界部１７２は、第１導電型の不純物が半導体基板１１０より高濃度でドーピングされる多結晶シリコン材質で形成することができる。したがって、例えば、基板がｎ型タイプの不純物でドーピングされる場合、複数の背面電界部１７２は、ｎ＋の不純物領域で有り得る。
【００９２】
このような背面電界部１７２は、半導体基板１１０と背面電界部１７２との不純物濃度の差に起因する電位障壁によって、電子の移動方向である背面電界部１７２の方向への正孔移動を妨害する一方、背面電界部１７２の方向にのキャリア（例えば、電子）の移動を容易にすることができる。
【００９３】
したがって、背面電界部１７２とその付近又は第１及び第２電極（Ｃ１４１、Ｃ１４２）で、電子と正孔の再結合に損実される電荷の量を減少させ、電子の移動を加速化させて、背面電界部１７２への電子移動量を増加させることができる。
【００９４】
ここの図４及び図５では、エミッタ部と背面電界部がトンネル層の背面に多結晶シリコン材質で形成された場合を一例として説明したが、これとは違って、トンネル層が省略された場合、エミッタ部と背面電界部は半導体基板１１０の背面内に不純物が拡散されてドーピングすることもできる。このような場合、エミッタ部と背面電界部は半導体基板１１０と同じ単結晶シリコン材質で形成することもできる。
【００９５】
真性半導体層１５０は、エミッタ部と背面電界部の間に露出したトンネル層の背面に形成されることがあり、このような真性半導体層１５０は、エミッタ部１２１と背面電界部１７２とは異なるように第１導電型の不純物または第２の導電型の不純物がドーピングされない真性多結晶シリコン層で形成することができる。
【００９６】
さらに、図４及び図５に示すように、真性半導体層１５０の両側面のそれぞれは、エミッタ部１２１の側面と背面電界部１７２の側面に直接接触する構造を有することができる。
【００９７】
パッシベーション層１９０は、背面電界部１７２、真性半導体層１５０及びエミッタ部１２１に形成される多結晶シリコン材質の層の背面に形成されたダングルリングボンド（dangling bond）による欠陥を除去し、半導体基板１１０から生成されたキャリアがダングルリングボンド（dangling bond）によって再結合されて消滅することを防止する役割をすることができる。
【００９８】
そのために、パッシベーション層１９０は、半導体基板１１０の背面の内、第１、第２電極（Ｃ１４１、Ｃ１４２）が形成された部分を除外した残りの部分を覆うように形成することができる。
【００９９】
このようなパッシベーション層１９０は、誘電体層で形成されることがあり、例えば、水素化されたシリコン窒化膜（ＳｉＮｘ：Ｈ）、水素化されたシリコン酸化膜（ＳｉＯｘ：Ｈ）、水素化されたシリコン窒化酸化膜（ＳｉＮｘＯｙ：Ｈ）、水素化されたシリコン酸化窒化膜（ＳｉＯｘＮｙ：Ｈ）、水素化された非晶質シリコン膜（ａ−Ｓｉ：Ｈ）の内、少なくともいずれか１つで形成することができる。
【０１００】
第１電極（Ｃ１４１）は、エミッタ部に接続し、第１方向（ｘ）に長く伸びて形成することができる。このような、第１電極（Ｃ１４１）は、エミッタ部１２１の方向に移動したキャリア、例えば、正孔を収集することができる。
【０１０１】
第２電極（Ｃ１４２）は、背面電界部に接続し、第１電極（Ｃ１４１）と並行するように第１方向（ｘ）に長く伸びて形成することができる。このような、第２電極（Ｃ１４２）は、背面電界部１７２の方向に移動したキャリア、例えば、電子を収集することができる。
【０１０２】
このような図３に示すように、第１、第２電極（Ｃ１４１、Ｃ１４２）のそれぞれは、第１方向（ｘ）に長く伸びて形成されることがあり、第１電極（Ｃ１４１）と第２電極（ Ｃ１４２）が第２方向（ｙ）に交互して配置することができる。
【０１０３】
このような複数の第１及び第２電極（Ｃ１４１、Ｃ１４２）は、導電性配線（ＣＷ）と導電性接着剤（ＣＡ）と異なる金属材質を含みから形成することができる。一例として、第１、第２電極（Ｃ１４１、Ｃ１４２）のそれぞれは、チタン（Ｔｉ）、銀（Ａｇ）、アルミニウム（Ａｌ）、ニッケル−バナジウム合金（ＮｉＶ）、ニッケル、ニッケル−アルミニウム合金（ＮｉｘＡｌｙ）、モリブデンデナム（Ｍｏ）、スズ（Ｓｎ）の内、少なくとも１つの材質が少なくとも１つの層で形成することができる。
【０１０４】
このような第１、第２電極（Ｃ１４１、Ｃ１４２）は、スパッタリング（sputtering）方法、電子ビーム蒸着装置（Electron Beam evaporator）、または無電解/電解めっき法の内、いずれか１つを利用して形成することができる。
【０１０５】
このような構造で製造された本発明に係る太陽電池において、第１電極（Ｃ１４１）を介して収集された正孔と第２電極（Ｃ１４２）を介して収集された電子は、外部の回路装置を介して外部装置の電力に利用することができる。
【０１０６】
本発明に係る太陽電池モジュールに適用された太陽電池は、必ず図４及び図５に限定せず、太陽電池に備えられる第１、第２電極（Ｃ１４１、Ｃ１４２）が半導体基板１１０の背面のみ形成される点を除外して、他の構成要素は、いくらでも変更が可能である。
【０１０７】
例えば、本発明の太陽電池モジュールには、第１電極（Ｃ１４１）の一部とエミッタ部１２１が半導体基板１１０の前面に位置し、第１電極（Ｃ１４１）の一部が半導体基板１１０に形成されたホールを介して半導体基板１１０の背面に形成された第１電極（Ｃ１４１）の残りの一部と接続されるＭＷＴタイプの太陽電池も適用が可能である。
【０１０８】
このような太陽電池が、図３のように導電性配線（ＣＷ）とインターコネクタ（ＩＣ）を用いて、直列接続された断面構造は次の図６と同じである。
【０１０９】
図６は、図３でＣＳｘ１−ＣＳｘ１ラインに沿った断面図を示すものである。
【０１１０】
図６に示すように、第１太陽電池（Ｃ１）と第２太陽電池（Ｃ２）を含む複数の太陽電池は、複数個が２方向（ｙ）に配列することができる。
【０１１１】
この時、第１、第２太陽電池（Ｃ１、Ｃ２）に備えられる複数の第１、第２電極（Ｃ１４１、Ｃ１４２）の長さ方向が第１方向（ｘ）に向くように配置することができる。
【０１１２】
このように、第１、第２太陽電池（Ｃ１、Ｃ２）が第２方向（ｙ）に配列された状態で、第１、第２太陽電池（Ｃ１、Ｃ２）は、第１、第２導電性配線（ＣＷ１、ＣＷ２）とインターコネクタ（ＩＣ）により第２方向（ｙ）に長く伸びて直列接続される１つのストリングを形成することができる。
【０１１３】
ここで、第１、第２導電性配線（ＣＷ１、ＣＷ２）とインターコネクタ（ＩＣ）は、導電性金属材質で形成され、第１、第２導電性配線（ＣＷ１、ＣＷ２）は、各太陽電池の半導体基板１１０の背面に接続され、太陽電池の直列接続のために、各半導体基板１１０に接続された第１、第２導電性配線（ＣＷ１、ＣＷ２）は、インターコネクタ（ＩＣ）に接続することができる。
【０１１４】
さらに、複数の第１、第２導電性配線（ＣＷ１、ＣＷ２）は、断面が円形を有する導電性ワイヤの形態であるか、幅が厚さより大きいリボンの形を有することができる。
【０１１５】
具体的には、複数の第１導電性配線（ＣＷ１）は、複数の太陽電池（Ｃ１、Ｃ２）のそれぞれに備えられた複数の第１電極（Ｃ１４１）に重畳されて、導電性接着剤（ＣＡ）を介して接続され、絶縁性材質の絶縁層（ＩＬ）により複数の第２電極（Ｃ１４２）と絶縁することができる。
【０１１６】
この時、複数の第１導電性配線（ＣＷ１）それぞれは、図３及び図６に示すように、第１、第２太陽電池との間に配置されたインターコネクタ（ＩＣ）方向側の半導体基板１１０外突出して配置されることができる。
【０１１７】
さらに、複数の第２導電性配線（ＣＷ２）は、複数の太陽電池（Ｃ１、Ｃ２）のそれぞれに備えられた複数の第２電極（Ｃ１４２）に重畳されて、導電性接着剤（ＣＡ）を介して接続され、絶縁性材質の絶縁層（ＩＬ）により複数の第１電極（Ｃ１４１）と絶縁することができる。
【０１１８】
この時、複数の第２導電性配線（ＣＷ２）のそれぞれは、図３及び図６に示すように、第1、第２太陽電池との間に配置されたインターコネクタ（ＩＣ）方向側の半導体基板１１０外突出して配置されることができる。
【０１１９】
ここで、導電性接着剤（ＣＡ）は、スズ（Ｓｎ）またはスズ（Ｓｎ）を含む合金を含む金属材質で形成することができる。併せて、このような導電性接着剤（ＣＡ）は、スズ（Ｓｎ）またはスズ（Ｓｎ）を含む合金を含むはんだペースト（solder paste）、エポキシにスズ（Ｓｎ）またはスズ（Ｓｎ）を含む合金が含まれたエポキシはんだペースト（epoxy solder paste）または導電性ペースト（Conductive psate）の内、いずれか１つの形で形成することができる。
【０１２０】
一例として、導電性接着剤（ＣＡ）がはんだペーストの形で適用された場合、はんだペーストには、Ｓｎ、ＳｎＢｉ、ＳｎＩｎ、ＳｎＡｇＣｕ、ＳｎＰｂ、ＳｎＢｉＣｕＣｏ、ＳｎＢｉＡｇ、ＳｎＰｂＡｇまたはＳｎＡｇの内、少なくとも１つの金属材質を含むすることができ、導電性接着剤（ＣＡ）がエポキシはんだペーストの形で適用された場合、エポキシ樹脂内にＳｎ、ＳｎＢｉ、ＳｎＩｎ、ＳｎＡｇＣｕ、ＳｎＰｂ、ＳｎＢｉＣｕＣｏ、ＳｎＢｉＡｇ、ＳｎＰｂＡｇまたはＳｎＡｇの内、少なくとも１つの金属材質を含んで形成することができる。
【０１２１】
さらに、導電性接着剤（ＣＡ）が導電性ペーストの形で適用された場合、エポキシのような樹脂内にＳｎ、ＳｎＢｉ、Ａｇ、ＡｇＩｎまたはＡｇＣｕのうちの少なくとも１つの金属材質を含んで形成することができる。
【０１２２】
ここで、絶縁層（ＩＬ）は、絶縁性材質であればどのようなものでもかまわず、一例として、エポキシ系の樹脂、ポリイミド、ポリエチレン、アクリル系の樹脂やシリコン系の樹脂の内、いずれか１つの絶縁性材質が使用されることがある。
【０１２３】
さらに、ここで、導電性接着剤（ＣＡ）は、図３の拡大図に示すように、導電性配線（ＣＷ）と交差する部分に位置する第１電極（Ｃ１４１）または第２電極（Ｃ１４２）の背面の上にのみ位置することができ、絶縁層（ＩＬ）は、導電性配線（ＣＷ）と交差する部分に位置する第１電極（Ｃ１４１）または第２電極（Ｃ１４２）の背面上だけでなく、周囲の半導体基板１１０の背面上にも一緒に配置することができる。
【０１２４】
このような位置に導電性接着剤（ＣＡ）と絶縁層（ＩＬ）が形成されるようすることで、所望しない電極と導電性配線（ＣＷ）との間の短絡をさらに効果的に防止することができる。
【０１２５】
このように、各太陽電池の背面に接続された複数の第１導電性配線（ＣＷ１）及び複数の第２導電性配線（ＣＷ２）の内、各半導体基板１１０の外に突出する部分が図３及び図６に示すように、第１、第２太陽電池（Ｃ１、Ｃ２）との間に配置されるインターコネクタ（ＩＣ）の背面に共通に接続することができ、これにより、複数の太陽電池（Ｃ１、Ｃ２）が第２方向（ｙ）に直列接続された１つのストリングで形成することができる。
【０１２６】
このような構造を有する太陽電池モジュールは、複数個の太陽電池の内、第１、第２導電性配線（ＣＷ１、ＣＷ２）と、第１、第２電極（Ｃ１４１、Ｃ１４２）との間に接続不良が発生した太陽電池がある場合、インターコネクタ（ＩＣ）と、複数の第１、第２導電性配線（ＣＷ１、ＣＷ２）との間の接続を解除して、その太陽電池だけを、さらに容易に交換することができる。
【０１２７】
以下では、前述した絶縁性接着部（ＡＴ）が半導体基板１１０の背面に接着された構造についてさらに具体的に説明する。
【０１２８】
図７〜図９は、図３及び図６で説明した絶縁性接着部（ＡＴ）の構造について、さらに具体的に説明するための図である。
【０１２９】
ここで、図７は、図３で絶縁性接着部（ＡＴ）が接着された太陽電池モジュールの背面を拡大して示したものであり、図８の（ａ）は、ラミネーション段階の以前に、図７のＡ−Ａラインに沿った第２方向断面を拡大して示したものであり、図８の（ｂ）は、ラミネーション段階の以後に最終の太陽電池モジュールにおいて図７のＡ−Ａラインに沿った第２方向の断面を拡大して示したものである。
【０１３０】
さらに、図９の（ａ）は、ラミネーション段階の以前に、図７のＢ−Ｂラインに沿った第１方向（ｘ）の断面を拡大して示したものであり、図９の（ｂ）は、ラミネーション段階の以後に最終の太陽電池モジュールから図７のＢ−Ｂラインに沿った第１方向（ｘ）の断面を拡大して示したものである。
【０１３１】
以下の図７〜図９は、先の、図３〜図６で説明した内容と重複する内容については省略し、説明されていない部分を中心に説明する。
【０１３２】
図７に示すように、絶縁性接着部（ＡＴ）は、導電性配線（ＣＷ１、ＣＷ２）が配置された半導体基板１１０の背面の内、少なくとも一部分に第１方向（ｘ）に長く配置されて、導電性配線（ＣＷ１、ＣＷ２）のそれぞれを、半導体基板１１０と、第１、第２電極（Ｃ１４１、Ｃ１４２）に固定させることができる。
【０１３３】
このような絶縁性接着部（ＡＴ）は、絶縁性接着部（ＡＴ）の接着力をさらに大きくするために、図７に示すように、絶縁性接着部（ＡＴ）の第２方向の幅（ＷＹＡＴ）を互いに直接隣接した二つの導電性配線間の間隔（ＷＤＣＷ）より大きく、導電性配線（ＣＷ）との間の間隔（ＷＤＣＷ）の５倍より小さくすることができる。
【０１３４】
さらに具体的には、絶縁性接着部（ＡＴ）の第２方向（ｙ）への幅（ＷＹＡＴ）は、導電性配線（ＣＷ）を固定させるための絶縁性接着部（ＡＴ）の物理的な接着強度を考慮して、一例として、２．５ｍｍ〜３０ｍｍの間で形成されることがあり、好ましくは５ｍｍ〜１５ｍｍの間で形成されることができる。
【０１３５】
さらに、図３においでは、絶縁性接着部（ＡＴ）の第１方向（ｘ）への長さは、半導体基板１１０の第１方向（ｘ）への長さより少し短いことで示したが、実質的に同一することができる。
【０１３６】
したがって、絶縁性接着部（ＡＴ）の第１方向（ｘ）への長さは、半導体基板の大きさに応じて変更されることがあり、一例として、半導体基板１１０のサイズが６インチの場合、絶縁性接着部（ＡＴ）の第１方向（ｘ）への長さは１５６ｍｍ〜１６２ｍｍの間で形成されることができる。
【０１３７】
したがって、１つの絶縁性接着部（ＡＴ）に第１方向（ｘ）に長く伸びている複数の第１、第２電極（Ｃ１４１、Ｃ１４２）が重畳することができる。
【０１３８】
このような絶縁性接着部（ＡＴ）は、ベースフィルム（ＢＦ）の表面に接着剤（ＩＡ）が形成された絶縁性テープ形態で有り得る。
【０１３９】
ここで、ベースフィルム（ＢＦ）は、複数の太陽電池をモジュール化させるラミネーション工程の温度より低く、ラミネーション工程中に溶けることができる。このため、ベースフィルム（ＢＦ）は、ラミネーション工程中に溶けることができるポリオレフィン（polyolefin）材質を含むことができる。
【０１４０】
ここで、ラミネーション工程中にベースフィルム（ＢＦ）が溶けるという意味は完全に燃焼されるのではなく、粘性を有するペースト状態のように柔らかくなることを意味する。
【０１４１】
このようなベースフィルム（ＢＦ）の融点は、一例として、１６０℃〜１７０℃の間のいずれか１つの温度より低いことができる。
【０１４２】
さらに、絶縁性接着部（ＡＴ）の接着剤（ＩＡ）は、アクリル、シリコンまたはエポキシの内、少なくともいずれか１つを含むことができる。このような接着剤（ＩＡ）もラミネーション工程中に溶けることができる。
【０１４３】
したがって、絶縁性接着部（ＡＴ）を複数の太陽電池をモジュール化させるラミネーション工程の以前に、導電性配線（ＣＷ１、ＣＷ２）を半導体基板１１０の背面に接着させたとき、図８の（ａ）及び図９の（ａ）に示すように、絶縁性接着部（ＡＴ）は、半導体基板１１０の背面上に配置された複数の導電性配線（ＣＷ１、ＣＷ２）の背面、導電性配線（ＣＷ１、ＣＷ２）との間に露出される半導体基板１１０の背面及び第１、第２電極（Ｃ１４１、Ｃ１４２）の背面に接着することができる。
【０１４４】
このように、絶縁性接着部（ＡＴ）を用いて、導電性配線（ＣＷ１、ＣＷ２）を半導体基板１１０の背面に接着させた状態で、１６０℃〜１７０℃の間、熱と圧力を伴うラミネーション工程が実行されると、図８の（ｂ）及び図９の（ｂ）に示すように、絶縁性接着部（ＡＴ）のベースフィルム（ＢＦ）と接着剤（ＩＡ）は溶け、導電性配線（ＣＷ１、ＣＷ２）の側面と導電性配線（ＣＷ１、ＣＷ２）と絶縁層（ＩＬ）との間のスペース及び導電性配線（ＣＷ１、ＣＷ２）と半導体基板１１０の背面との間のスペースに満たされて、以降、このように満たされた状態で乾燥され、硬化することができる。
【０１４５】
これにより、ラミネーション工程が行われた後、最終の太陽電池モジュールでは、図８の（ｂ）及び図９の（ｂ）に示すように、絶縁性接着部（ＡＴ）が導電性配線（ＣＷ１、ＣＷ２）の側面と導電性配線（ＣＷ１、ＣＷ２）と絶縁層（ＩＬ）との間のスペースまで密着して接着することができる。
【０１４６】
これにより、本発明に係る太陽電池モジュールは、導電性配線（ＣＷ１、ＣＷ２）の側面及び周辺にエアトラップが発生することを最小化することができ、これにより、導電性配線（ＣＷ１、ＣＷ２）が今後湿気によって腐食されることを防止することができる。
【０１４７】
さらに具体的に説明すると、図９の（ａ）に示すように、絶縁性接着部（ＡＴ）を半導体基板１１０の背面に接着すると、導電性配線（ＣＷ１、ＣＷ２）の厚さによる段差により、導電性配線（ＣＷ１、ＣＷ２）の側面と絶縁性接着部（ＡＴ）と半導体基板１１０の背面によって空きスペース（ＥＳ）が形成されることができる。
【０１４８】
このような空きスペース（ＥＳ）には、太陽電池モジュールの製造工程の中で空気が自然に満たすことができる。もし、太陽電池モジュールが完成した最終の構造でも、空きスペース（ＥＳ）が除去されず、そのまま維持される場合、空きスペース（ＥＳ）には、空気が閉じ込められている状態で、密閉されて、エアトラップ（air trap）が形成されることができる。
【０１４９】
したがって、今後屋外スペースで太陽電池モジュールが使用されるとき、外部の天気環境により、エアトラップ（air trap）に水分が含有されることがあり、導電性配線（ＣＷ１、ＣＷ２）を腐食させ、導電性配線（ＣＷ１、ＣＷ２）の抵抗が高くなることがある。
【０１５０】
しかし、本発明では、前述したように、ラミネーション工程で溶けうる材質を絶縁性接着部（ＡＴ）に使用することにより、絶縁性接着部（ＡＴ）が溶けて導電性配線（ＣＷ１、ＣＷ２）の側面と絶縁性接着部（ＡＴ）と半導体基板１１０の背面によって形成される空きスペース（ＥＳ）まで満たされて接着され、前述したようなエアトラップ（air trap）が形成されることを防止し、それに応じて、太陽電池モジュールの効率の低下を防止することができる。
【０１５１】
さらに、本発明においては、ラミネーション工程で溶けうる絶縁性接着部（ＡＴ）の材質としてポリオレフィンを一例として説明したが、必ずしもこれに限定されるものではなく、１６０℃〜１７０℃の間の内、いずれか１つの温度で行われるラミネーション工程で溶けうる絶縁性材質であれば、どのような材質でも絶縁性接着部（ＡＴ）の材質として使用することができる。
【０１５２】
さらに、このような絶縁性接着部（ＡＴ）は、透明なこともあるが、白や黒色で有り得る。
【０１５３】
以下では、このような太陽電池モジュールを製造する方法の一例について説明する。
【０１５４】
図１０〜図１３は、本発明の一例に係る太陽電池モジュールの製造方法を説明するための図である。以下では、図１０と共に前述した図７〜図９を参照して、本発明の一例に係る太陽電池モジュールの製造方法について説明する。
【０１５５】
図１０に示すように、本発明に係る太陽電池モジュールの製造方法は、導電性接着剤塗布段階（Ｓ１）、導電性配線の配置段階（Ｓ２）、絶縁性接着部の接着段階（Ｓ３）とラミネーション段階（Ｓ４）を含む。
【０１５６】
ここで、導電性接着剤塗布段階（Ｓ１）を実行する前に、まず、図４及び図５に示すように、半導体基板１１０の表面に第１方向（ｘ）に長く形成され、別の極性を有する第１電極（Ｃ１４１）と第２電極（Ｃ１４２）が備えられた太陽電池を用意する。
【０１５７】
ここで、太陽電池は、第１電極（Ｃ１４１）と第２電極（Ｃ１４２）のすべてが半導体基板１１０の背面に備えられた背面コンタクト太陽電池で有り得る。しかし、これに必ずしも限定されるものではなく、太陽電池は、第１電極（Ｃ１４１）が半導体基板１１０の前面に、第２電極（Ｃ１４２）が半導体基板１１０の背面に備えられたコンベンショナル太陽電池も適用することができる。
【０１５８】
以下では、背面コンタクト太陽電池を一例として説明する。
【０１５９】
前述したように、背面コンタクト太陽電池を準備した後、導電性接着剤塗布段階（Ｓ１）は、第１電極（Ｃ１４１）と第２電極（Ｃ１４２）のそれぞれの一部分の上に導電性接着剤（ＣＡ）を塗布することができる。
【０１６０】
ここで、導電性接着剤（ＣＡ）が塗布される第１、第２電極（Ｃ１４１、Ｃ１４２）のそれぞれの一部分は、導電性配線（ＣＷ）と、第１、第２電極（Ｃ１４１、Ｃ１４２）のそれぞれが交差する部分で有り得る。
【０１６１】
さらに、導電性配線（ＣＷ）の内、第１電極（Ｃ１４１）や第２電極（Ｃ１４２）と絶縁が必要な部分には、絶縁層（ＩＬ）がさらに形成することができる。
【０１６２】
したがって、図７〜図９に示すように、半導体基板１１０の背面の内、第１電極（Ｃ１４１）と第１導電性配線（ＣＷ１）が交差する部分と第２電極（Ｃ１４２）と第２導電性配線（ＣＷ２）が交差する部分には、導電性接着剤（ＣＡ）が塗布されて乾燥することができる。
【０１６３】
さらに、図７〜図９に示すように、第１電極（Ｃ１４１）と第２導電性配線（ＣＷ２）が交差する部分と第２電極（Ｃ１４２）と第１導電性配線（ＣＷ１）が交差する部分には、絶縁層（ＩＬ）が硬化されて形成されることができる。
【０１６４】
さらに、ここで、絶縁層（ＩＬ）の厚さは、図８及び図９に示すように、導電性接着剤（ＣＡ）と導電性配線（ＣＷ）の接続力をさらに確実に確保するために、導電性接着剤（ＣＡ）の厚さより低く形成することができる。
【０１６５】
以降、導電性配線の段階（Ｓ２）では、図７〜図９に示すように、第１、第２電極（Ｃ１４１、Ｃ１４２）の導電性接着剤（ＣＡ）が塗布された一部分と重畳されるよう第１方向（ｘ）と交差する第２方向（ｙ）に長く導電性配線（ＣＷ）を配置することができる。
【０１６６】
一例として、導電性配線（ＣＷ）は、すべてが半導体基板１１０の背面上に配置することができる。
【０１６７】
これにより、第１、第２電極（Ｃ１４１、Ｃ１４２）の上に形成された導電性接着剤（ＣＡ）と絶縁層（ＩＬ）と導電性配線（ＣＷ）の配置構造は、図３で説明したように、形成されることができる。
【０１６８】
この時、導電性接着剤（ＣＡ）と絶縁層（ＩＬ）は、既に乾燥した、又は硬化した状態であるから、導電性配線（ＣＷ）は、半導体基板１１０の背面に接着されない状態で有り得る。
【０１６９】
したがって、工程の容易さのために、絶縁性接着部の接着段階（Ｓ３）では、図７、図８の（ａ）及び図９の（ａ）に示すように、半導体基板１１０の背面の一部分とその上に配置された導電性配線（ＣＷ）の一部分の上に第１方向（ｘ）に長く絶縁性接着部（ＡＴ）を接着させることができる。
【０１７０】
これにより、絶縁性接着部（ＡＴ）は、半導体基板１１０の背面に配置された導電性配線（ＣＷ）を半導体基板１１０の背面の表面に固定させることができる。
【０１７１】
ここで、絶縁性接着部（ＡＴ）の融点は、ラミネーション段階（Ｓ４）の温度より低くすることができる。さらに具体的には、図８の（ａ）及び図９の（ａ）に示すように、絶縁性接着部（ＡＴ）は、ベースフィルム（ＢＦ）の表面に接着剤（ＩＡ）が形成された絶縁性テープ形態で有り得るが、ここで、ベースフィルム（ＢＦ）と接着剤（ＩＡ）の融点は、ラミネーション段階（Ｓ４）の温度より低い材質を使用することができる。
【０１７２】
一例として、ラミネーション段階（Ｓ４）の工程の温度が１６０℃〜１７０℃の間のいずれか１つの温度で実行される場合であれば、ベースフィルム（ＢＦ）と接着剤（ＩＡ）の融点は１６０℃〜１７０℃の間のいずれか１つの温度より低くすることができる。
【０１７３】
ここで、ベースフィルム（ＢＦ）は、ラミネーション段階（Ｓ４）の工程温度より低いポリオレフィン（polyolefin）材質を含むことができ、接着剤（ＩＡ）は、ラミネーション段階（Ｓ４）の工程温度より低いアクリル、シリコンまたはエポキシの内、少なくともいずれか１つを含むことができる。
【０１７４】
このように、絶縁性接着部（ＡＴ）により、導電性配線（ＣＷ）を各太陽電池の半導体基板１１０の背面に固定された後、各太陽電池は、前面ガラス基板１０上に配置することができる。
【０１７５】
さらに具体的には、前面ガラス基板１０上に前面充填材２０が配置された状態で、インターコネクタ（ＩＣ）が充填材２０上に配置することができる。
【０１７６】
以降、絶縁性接着部（ＡＴ）が付着された太陽電池が充填材２０上に配置することができる。
【０１７７】
この時、絶縁性接着部（ＡＴ）が付着された半導体基板１１０の背面が上方向の向きとし、半導体基板１１０の前面が前面充填材２０と接触することができる。
【０１７８】
さらに、各太陽電池に固定された導電性配線（ＣＷ）の先端は、インターコネクタ（ＩＣ）と重畳することができる。
【０１７９】
以降、図１２に示すように、絶縁性接着部（ＡＴ）が付着された半導体基板１１０の背面上に背面充填材３０と背面基板４０を順次に配置することができる。
【０１８０】
このように、前面ガラス基板１０と背面基板４０との間に複数の太陽電池が配置された状態で、熱と圧力を伴うラミネーション段階（Ｓ４）が実行されることができる。
【０１８１】
このようなラミネーション段階（Ｓ４）の温度は、１６０℃〜１７０℃の間の内、いずれか１つの温度で行うことができる。一例として、ラミネーション段階（Ｓ４）の温度は、１６５℃で行うことができる。
【０１８２】
したがって、ラミネーション段階（Ｓ４）で、図１３に示すように、絶縁性接着部（ＡＴ）は、ラミネーション段階（Ｓ４）の熱処理工程により粘性を有するペースト状態のように軟化された状態で、導電性配線（ＣＷ）の一部分から導電性配線（ＣＷ）の側面まで拡張することができる。
【０１８３】
さらに、これに加えて、図８の（ｂ）及び図９の（ｂ）に示すように、ラミネーション段階（Ｓ４）で絶縁性接着部（ＡＴ）は、軟化された状態で、導電性配線（ＣＷ）と第１、２電極（Ｃ１４１、Ｃ１４２）との間の空きスペース（ＥＳ）[または導電性配線（ＣＷ）と絶縁層（ＩＬ）との間の空きスペース（ＥＳ）]まで拡張することができる。このように、絶縁性接着部（ＡＴ）が拡張された状態で硬化することもある。
【０１８４】
また、このようなラミネーション段階（Ｓ４）で、シート状の背面充填材３０も一緒に軟化され、絶縁性接着部（ＡＴ）と背面充填材３０との間の空きスペースを満たすことができる。
【０１８５】
これにより、ラミネーション段階（Ｓ４）で絶縁性接着部（ＡＴ）と背面充填材３０が完全に密着して、互いに物理的に接触することができる。
【０１８６】
さらに、このようなラミネーション段階（Ｓ４）で導電性接着剤（ＣＡ）も軟化された状態で、導電性配線（ＣＷ）に接続することができる。しかし、これは必ずしも必要不可欠なものではなく、導電性配線の段階（Ｓ２）の以後、絶縁性接着部の接着段階（Ｓ３）の以前に、導電性接着剤（ＣＡ）に熱処理工程を実行して、導電性接着剤（ＣＡ）を導電性配線（ＣＷ）に接続させることも可能である。
【０１８７】
このように、本発明に係る太陽電池の製造工程は、導電性配線（ＣＷ）を半導体基板１１０の背面上に配置された状態で、絶縁性接着部（ＡＴ）に導電性配線（ＣＷ）を半導体基板１１０の背面に固定させるので、ラミネーション段階（Ｓ４）をさらに容易に行うことができる。
【０１８８】
さらに、また、本発明は、ラミネーション段階（Ｓ４）で、絶縁性接着部（ＡＴ）が軟化されて、導電性配線（ＣＷ）と、第１、第２電極との間の空きスペース（ＥＳ）または導電性配線（ＣＷ）と半導体基板１１０との間の空きスペース（ＥＳ）に満たされた状態で硬化されるようにすることで、完成した太陽電池モジュールにエアトラップ（Air trap）が発生することを最小化することができ、これにより、導電性配線（ＣＷ）が後日湿気によって腐食されることを防止することができる。
【０１８９】
このようなラミネーション段階（Ｓ４）で、各太陽電池に固定された導電性配線（ＣＷ）とインターコネクタ（ＩＣ）が互いに電気的に接続することができる。しかし、必ずしもこれに限定されるものではなく、絶縁性接着部（ＡＴ）が導電性配線（ＣＷ）を半導体基板１１０の背面に固定させた後で、ラミネーション段階（Ｓ４）の前に、別の熱処理工程を介して、各太陽電池に固定された導電性配線（ＣＷ）とインターコネクタ（ＩＣ）を相互に電気的に接続することも可能である。
【０１９０】
さらに、本発明の一例に係る太陽電池モジュールの製造方法では、背面コンタクト太陽電池が適用される場合を一例として説明したが、コンベンショナル太陽電池でも適用することができる。
【０１９１】
ただし、コンベンショナル太陽電池に適用される場合、導電性接着剤塗布段階（Ｓ１）で、絶縁層（ＩＬ）の形成工程は省略することができ、導電性配線の段階（Ｓ２）では、導電性配線（ＣＷ）の一部分は、半導体基板１１０の前面上に配置され、残りの一部分は、隣接する他の太陽電池の半導体基板１１０の背面上に配置することができる。
【０１９２】
以外の他の部分は、前述した背面コンタクト太陽電池が適用される場合と同じで有り得る。以上で、本発明の好適な実施の形態について詳細に説明したが、本発明の権利範囲はこれに限定されるものではなく、次の請求の範囲で定義している本発明の基本的な概念を利用した当業者の様々な変形及び改良形態もまた本発明の権利範囲に属するものである。
【図１】
0006367284.tif 000002
【図２】
0006367284.tif 000003
【図３】
0006367284.tif 000004
【図４】
0006367284.tif 000005
【図５】
0006367284.tif 000006
【図６】
0006367284.tif 000007
【図７】
0006367284.tif 000008
【図８】
0006367284.tif 000009
【図９】
0006367284.tif 000010
【図１０】
0006367284.tif 000011
【図１１】
0006367284.tif 000012
【図１２】
0006367284.tif 000013
【図１３】
0006367284.tif 000014